(57)【要約】【課題】栓体を安定、かつ確実に切断、分離し、容器を開封する際に不可避であった内容物のこぼれを防止し得るブロー成形薄肉容器を提案する。【解決手段】内容物の注出に従って充填空間の減容を可能とする薄肉の胴体１を備えたブロー成形薄肉容器において、前記胴体１の上端角部に、前記充填空間につながる通路2aを有し破断予定線３に沿う栓体2bの切断、分離にて該通路2aを開通させて充填空間内の内容物を排出する注出部２を設け、前記注出部２の本体側に、該栓体2bの切断、分離に際して把持する第１の摘み部４を配置し、前記栓体2b側に、第１の摘み部４と同一線上にて延在し該第１の摘み部４から離間する向きに引っ張ることによって該栓体2bを切断予定線３に沿って切断、分離する第２の摘み部５を配置する。【選択図】図１
2007099303.tif 000002
【特許請求の範囲】
【請求項１】
内容物の注出に従って充填空間の減容を可能とする薄肉の胴体を備えたブロー成形薄肉容器であって、
前記胴体の上端角部に、前記充填空間につながる通路を有し破断予定線に沿う栓体の切断、分離にて該通路を開通させて充填空間内の内容物を排出する注出部を設け、
前記注出部の本体側に、該栓体の切断、分離に際して把持する第１の摘み部を配置し、前記栓体側に、第１の摘み部と同一線上にて延在し該第１の摘み部から離間する向きに引っ張ることによって該栓体を切断予定線に沿って切断、分離する第２の摘み部を配置してなり、前記第１の摘み部及び第２の摘み部は、周縁部のみ厚肉に形成されたことを特徴とするブロー成形薄肉容器。
【請求項２】
前記第２の摘み部は、破断予定線につながる縁部を有する、請求項１記載のブロー成形薄肉容器。
【請求項３】
前記第１の摘み部と第２の摘み部とを破断予定線を通過して相互に連結する薄肉片を有する、請求項１又は２記載のブロー成形薄肉容器。
【請求項４】
前記第１の摘み部の縁部とこの縁部に隣接する第２の摘み部の縁部によって略Ｖ字状のノッチを形成する、請求項１〜３の何れかに記載のブロー成形薄肉容器。
【発明の詳細な説明】
【技術分野】
【０００１】
本発明は、内容物の注出にしたがい充填空間の減容を可能としたブロー成形薄肉容器に関するもので、容器を開封する際の切断操作を安定して行ない、かつ、栓体を確実に切断することを可能とするものである。
【背景技術】
【０００２】
シャンプーやリンス、液体石鹸、化粧料等を入れる容器の分野では、資源の有効活用、ゴミの減量化を図る観点から薄肉の容器が多用されるようになってきている（例えば、特許文献１参照）。
【特許文献１】特開2004−352328号公報
【０００３】
従来のこの種の容器は、注出部に予めノッチや破断予定線が設けられており、容器胴体側を把持して栓体部分に捻りを加え、ノッチや破断予定線に沿って該栓体を切断、分離して開封していたが、容器の胴体は薄肉で変形し易いことから容器を開封する際に安定した切断作業が行ない難く、この点に関して未だ改良の余地が残されていた。
【発明の開示】
【発明が解決しようとする課題】
【０００４】
本発明の課題は、容器を開封する際に生じていた上記のような従来の不具合を解消できる新規なブロー成形薄肉容器を提案するところにある。
【課題を解決するための手段】
【０００５】
本発明は、内容物の注出に従って充填空間の減容を可能とする薄肉の胴体を備えたブロー成形薄肉容器であって、
前記胴体の上端角部に、前記充填空間につながる通路を有し破断予定線に沿う栓体の切断、分離にて該通路を開通させて充填空間内の内容物を排出する注出部を設け、
前記注出部の本体側に、該栓体の切断、分離に際して把持する第１の摘み部を配置し、前記栓体側に、第１の摘み部と同一線上にて延在し該第１の摘み部から離間する向きに引っ張ることによって該栓体を切断予定線に沿って切断、分離する第２の摘み部を配置してなり、前記第１の摘み部及び第２の摘み部は、周縁部のみ厚肉に形成されたことを特徴とするブロー成形薄肉容器である。
【０００６】
上記の構成になるブロー成形薄肉容器においては、前記第２の摘み部は、破断予定線につながる縁部を有するものとするのが好ましく、また、前記第１の摘み部と第２の摘み部とを破断予定線を通過して相互に連結する薄肉片を設けるのが好ましい。
【０００７】
また、前記第１の摘み部の縁部とこの縁部に隣接する第２の摘み部の縁部によって略Ｖ字状のノッチを形成することができる。
【発明の効果】
【０００８】
第１の摘み部と第２の摘み部を把持してそれらを相互に離反させる向きに引っ張ることで栓体が注出部の本体側から切り離されることとなり、容器の開封に際して容器の胴体が変形することがなく、安定した切断操作が実現でき、かつ、確実な切断が可能となる。
【発明を実施するための最良の形態】
【０００９】
以下、図面を用いて本発明をより具体的に説明する。
図１は本発明に従うブロー成形薄肉容器（合成樹脂製）である。図における１は内容物の充填空間を区画形成する容器の胴体である。この胴体１は厚さが薄くなっており内容物の注出度合にしたがって充填空間を減容させることができるようになっている。
【００１０】
また、２は胴体１の上端角部に設けられた注出部である。この注出部２は充填空間につながる通路2aを有しており、その先端には栓体2bが設けられている。３は切り込み等によって薄肉に形成された破断予定線、４は注出部２の容器胴体側に一体的に配置され栓体2bを切断、分離するに際して把持する第１の摘み部である。この第１の摘み部４はその縁部4aを肉厚とすることができ、該縁部4aの内側領域4bを薄肉とすることができ（周縁部のみが厚肉に形成される）、これにより指をあてがい易くする。
【００１１】
５は栓体2b側に一体的に配置された第２の摘み部である。第２の摘み部５は第１の摘み部４と同一線上にて延在し図２に示すように第１の摘み部４から離間する向きに引っ張ることによって該栓体2bを切断予定線３に沿って切断、分離するもので、その縁部5aは第１の摘み部４と同様に肉厚とし該縁部5aの内側領域5bを薄肉とすることができ（周縁部のみが厚肉に形成される）、とくに第２の摘み部５の縁部5a１を図３に示す如く破断予定線３まで延在させる（つなげる）ことにより栓体2bの切断、分離をより確実とすることが可能となる。
【００１２】
第１の摘み部４の縁部（破断予定線３側に位置する縁部）と、この縁部に隣接する第２の摘み部５の縁部のそれぞれにつき、下端から上端に向けて外開きになる傾斜を設け略Ｖ字状のノッチｎを形成することにより容器の開封作業を行ない易くする。
【００１３】
また、第１の摘み部４と第２の摘み部５とを切断予定線３を通過して相互に連結する図４に示すような薄肉片６を設けることで商品の流通段階での栓体2bの不用意な切断、分離を回避し得る。
【００１４】
第１の摘み部４、第２の摘み部５の形状は適宜変更することが可能で、図示の例にのみ限定はされない。
【００１５】
容器の接地面と破断予定線３とのなす角度θ（図１参照）は５〜90°、より好ましくは10〜60°とするのがよい。このような角度θに設定すると栓体2bを切断、分離しやすくなるだけでなく内容物が注ぎやすくなる。
【００１６】
本発明の容器は合成樹脂にて構成することができる。成形法は従来公知のブロー成形法を適用して所望の形状に形成することが可能であり、図示の形状のみに限定されることはない。
【００１７】
本発明の容器に充填される内容物としては液状物、流動物、油脂含有物、界面活性剤を含む液剤、あるいは食品（例えば、ゼリー等の流動物やスープ等の液状物）等が挙げられる。
【産業上の利用可能性】
【００１８】
栓体を切断、分離して容器を開封する際の容器胴体の変形により生じる内容物のこぼれ等を防止し、安定した切断操作によって確実に栓体を切断することを可能としたブロー成形薄肉容器が提供できる。
【図面の簡単な説明】
【００１９】
【図１】本発明に従うブロー成形薄肉容器の実施の形態を示した図である。
【図２】容器の開封状況を示した図である。
【図３】本発明に従うブロー成形薄肉容器の要部を拡大して示した図である。
【図４】本発明に従うブロー成形薄肉容器の他の実施の形態を要部について示した図である。
【符号の説明】
【００２０】
１  胴体
２  注出部
2a  通路
2b  栓体
３  破断予定線
４  第１の摘み部
4a  縁部
4b  内側領域
５  第２の摘み部
5a  縁部
5b  内側縁部
６  薄肉片
【図１】
2007099303.tif 000003
【図２】
2007099303.tif 000004
【図３】
2007099303.tif 000005
【図４】
2007099303.tif 000006